(57)【要約】  薄形で簡素な構成でありながら、照明光を大きく傾けて出射し、広範囲を照明できる照明装置を提供する。この照明装置は、光源と、前記光源に沿って配置され、前記光源から出射された光を入射する入射面と、前記入射面から入射した光を出射する第１主面と、前記第１主面に対向する第２主面と、前記入射面に対向し前記第１主面とのなす角が鋭角であるテーパー形状の端面とを備えた導光板と、を有し、第２主面に、入射面から遠ざかるにつれて第１主面に接近する第１斜面と、入射面から遠ざかるにつれて第１主面から離間する第２主面とからなるＶ溝形状を有し、第１斜面と第２主面とのなす角をθ１（°）、第２斜面と第２主面とのなす角度をθ２（°）としたときに、以下の式を満たす。  ４≦θ１≦１４      （１）  θ１≦θ２          （２）
2014208291.tif 000002
【特許請求の範囲】
【請求項１】
光源と、前記光源に沿って配置され、前記光源から出射された光を入射する入射面と、前記入射面から入射した光を出射する第１主面と、前記第１主面に対向する第２主面と、前記入射面に対向し前記第１主面とのなす角が鋭角であるテーパー形状の端面とを備えた導光板と、を有し、
前記第２主面に光路偏向手段が設けられ、前記光路偏向手段は、前記入射面から遠ざかるにつれて前記第１主面に接近する第１斜面と、前記入射面から遠ざかるにつれて前記第１主面から離間する第２主面とからなるＶ溝形状を有し、
前記第１斜面と前記第２主面とのなす角をθ１（°）、前記第２斜面と前記第２主面とのなす角度をθ２（°）としたときに、以下の式を満たすことを特徴とする照明装置。
４≦θ１≦１４      （１）
θ１≦θ２          （２）
【請求項２】
前記入射面、前記第１主面、前記第２主面は鏡面であり、前記テーパー状の端面は拡散面であることを特徴とする請求項１に記載の照明装置。
【請求項３】
以下の式を満たすことを特徴とする請求項１又は２に記載の照明装置。
８０≦θ２≦１６０      （３）
【請求項４】
以下の式を満たすことを特徴とする請求項３に記載の照明装置。
θ１＋θ２＝９０        （４）
【請求項５】
前記入射面は、前記光源に沿った方向に周期的に繰り返される凹凸形状を有することを特徴とする請求項１〜４のいずれかに記載の照明装置。
【請求項６】
前記凹凸形状は、前記第２主面に直交する方向に見たときに、円弧形状を周期的に繰り返していることを特徴とする請求項５に記載の照明装置。
【請求項７】
前記円弧形状の曲率をκ（１／ｍｍ）としたときに、以下の式を満たすことを特徴とする請求項６に記載の照明装置。
０＜κ≦３２０      （５）
【請求項８】
前記凹凸形状は、前記第２主面に直交する方向に見たときに、Ｖ溝形状を周期的に繰り返していることを特徴とする請求項５に記載の照明装置。
【請求項９】
前記Ｖ溝形状の頂角をθｐ（°）、最大幅をｌｐ（ｍｍ）とすると、以下の式を満たすことを特徴とする請求項８に記載の照明装置。
４５≦θｐ≦９０      （６）
０．０２５≦ｌｐ≦０．６      （７）
【請求項１０】
前記光路偏向手段のＶ溝は、前記第２主面に直交する方向に見たときに、前記光源の発光面を通る仮想面からの距離が周期的に変化するように折れ曲がって形成されていることを特徴とする請求項５〜９のいずれかに記載の照明装置。
【請求項１１】
前記Ｖ溝の折れ曲がった一単位において、折れ曲がり角度をθｃ（°）、長さをｌｃ（ｍｍ）とすると、以下の式を満たすことを特徴とする請求項１０に記載の照明装置。
９０≦θｃ≦１６０      （８）
０＜ｌｃ≦４            （９）
【請求項１２】
前記第１主面と前記テーパー形状の端面とのなす角をθｔ（°）とすると、以下の式を満たすことを特徴とする請求項１〜１１のいずれかに記載の照明装置。
０＜θｔ≦４５        （１０）
【請求項１３】
前記第２主面と前記テーパー形状の端面に隣接して、反射部材を設けたことを特徴とする請求項１〜１２のいずれかに記載の照明装置。
【請求項１４】
前記照明装置はケースを有し、前記ケースと前記テーパー形状の端面との間に弾性部材を設けるとともに、前記入射面と前記光源との間に位置決め部材を設けたことを特徴とする請求項１〜１３のいずれかに記載の照明装置。
【請求項１５】
前記第１主面に隣接して、ヘイズ値５０％以下の拡散性を有する拡散板を設けたことを特徴とする請求項１〜１４のいずれかに記載の照明装置。
【請求項１６】
前記入射面は，前記テーパー形状の端面と対向する第１入射面と、前記第１入射面に交差する第２入射面とを有し、前記光源は、前記第１入射面に対向する第１光源と、前記第２入射面に対向する第２光源とを有することを特徴とする請求項１〜１５のいずれかに記載の照明装置。
【請求項１７】
前記導光板はフレキシブルな素材から形成されていることを特徴とする請求項１〜１６のいずれかに記載の照明装置。
【発明の詳細な説明】
【技術分野】
【０００１】
本発明は、照明装置に関する。
【背景技術】
【０００２】
従来から、板状導光板の端面に、直線状に配列された光源を配置し、端面である入射面から導光板内に光源の光を入射し、導光板内を導光させ、入射端面と隣接し対向する２面のいずれかに光取り出し手段を設け、この光取り出し手段により導光板内を導光する光を取り出して外部に射出し、結果として面状発光を行わせる、所謂、サイドライトタイプの照明装置が知られている（特許文献１参照）。
【先行技術文献】
【特許文献】
【０００３】
【特許文献１】特開２００５−２５１７２０号公報
【特許文献２】特開２００７−５９２８５号公報
【発明の概要】
【発明が解決しようとする課題】
【０００４】
ところで、特許文献１に開示された照明装置は、壁面に取り付けられて足元を照明する為に用いられるものであるが、これを、デスク上を照明するタスクライトとして流用した場合、以下のような問題がある。特許文献１の照明装置における照明光の出射角度は、強度ピークが取り付け面に対して３０°程度であるから、照明装置をタスクライトとして水平に取り付けた状態で、作業者の手元を明るく照明するには、なるべく照明装置の取り付け位置を高くする必要がある。ところが、照明装置の取り付け位置を高くすると、照明光が直接，作業者の目に入りまぶしいという問題がある。又、照明装置の発光面に輝度の明暗による筋が入ってしまうので、美観に劣るという問題もある。【０００５】
一方、特許文献２に開示された照明装置では、発光面の法線方向に照明光が出射するので、タスクライトとして用いる場合に、作業者の手元を明るく照明するためには、発光面を傾けなくてはならず、特許文献１の照明装置と同様に、作業者がまぶしさを感じるという問題がある。【０００６】
本発明は、上記の事情に鑑みてなされたものであって、薄形で簡素な構成でありながら、照明光を大きく傾けて出射し、広範囲を照明できる照明装置を提供することを目的とする。
【課題を解決するための手段】
【０００７】
上述した目的のうち少なくとも一つを実現するために、本発明の一側面を反映した照明装置は、光源と、前記光源に沿って配置され、前記光源から出射された光を入射する入射面と、前記入射面から入射した光を出射する第１主面と、前記第１主面に対向する第２主面と、前記入射面に対向し前記第１主面とのなす角が鋭角であるテーパー形状の端面とを備えた導光板と、を有し、
前記第２主面に光路偏向手段が設けられ、前記光路偏向手段は、前記入射面から遠ざかるにつれて前記第１主面に接近する第１斜面と、前記入射面から遠ざかるにつれて前記第１主面から離間する第２主面とからなるＶ溝形状を有し、
前記第１斜面と前記第２主面とのなす角をθ１（°）、前記第２斜面と前記第２主面とのなす角度をθ２（°）としたときに、以下の式を満たすことを特徴とする。
４≦θ１≦１４      （１）
θ１≦θ２        （２）【０００８】
例えば、レンズやリフレクターを用いて照明光を所望の方向に向けて広範囲な照明を行うようにすると、照明装置の薄型化が図れないし、部品点数が増加して複雑な構成となってしまう。又、レンズやリフレクターを用いて照明光を所望の方向に向けるようにすると、偏った照度分布となりやすいという問題がある。これに対し、本照明装置によれば、前記導光板を用いることで薄形の構成と出来、デザイン的に優れるとともに，部品点数が減少して簡素な構成とできる。更に、前記光路偏向手段として前記導光板に複数のＶ溝を形成することで、所望の方向に傾けて照明光を出射することができる。特に、（１）、（２）式を満たすことで、前記第１主面からの出射光において最も輝度が大きい光線と、前記第１主面との法線とのなす角θｍａｘ（°）を、例えば、５０（°）≦θｍａｘ≦７０（°）と大きく傾けることができる。これにより、照明装置を、例えばタスクライトとして用いたような場合も、低い位置に水平に取り付けた状態で、作業者の手元を明るく照明でき、また低い位置に取り付けることで、照明光が直接、作業者の目に入りにくくなり、作業性が高まる。【０００９】
しかしながら、前記光路偏向手段としてのＶ溝形状が（１）、（２）式を満たすようにすると、前記入射面から入射した光が導光する際における光の取り出し量が減少するので、少なくない量の光が前記入射面に対向する端面に到達してしまう恐れがある。しかるに、この端面で到達光を反射して逆方向に導光させることも考えられるが、その戻り光は第１主面から所望の方向に出射せず、無駄な光となってしまい照明効率が低下する。そこで、前記入射面に対向する端面を、第１主面と鋭角をなすテーパー形状とすることで、前記端面に到達した光を反射させて前記第１主面から出射させるようにすることで、照明効率を高めて，広範囲な照明を行うことができる。
【発明の効果】
【００１０】
本発明によれば、薄形で簡素な構成でありながら、照明光を大きく傾けて出射し、広範囲を照明できる照明装置を提供することができる。
【図面の簡単な説明】
【００１１】
【図１】本実施形態による照明装置１０を導光板の上面（第２主面）の位置で切断して示す上面図である。
【図２】図１の構成をII-II線で切断して矢印方向に見た図である。
【図３】図１の矢印III部を拡大して示す拡大図である。
【図４】図２の矢印IV部を拡大して示す拡大図である。
【図５】本実施形態の変形例にかかる図３と同様な拡大図である。
【図６】別な実施形態にかかる導光板の上面図である。
【図７】図６の導光板の斜視図である。
【図８】実施例１の導光板１の上面図である。
【図９】ＬＥＤ２Ａを点灯させた場合の実施例１の配光特性（角度特性）を示す図である。
【図１０】第１の入射面１３に対向するＬＥＤ２Ａを点灯させた場合の実施例１の照度分布に関する図で、（ａ）は照度分布を示し、（ｂ）（ｃ）は輝度値のグラフである。
【図１１】第１主面の法線に対して５５°傾いた方向（角度強度ピーク方向）から見た輝度分布を示す図である。
【図１２】実施例２の導光板１の第１の入射面１３を第２主面側から見た拡大図である。
【図１３】ＬＥＤ２Ａを点灯させた場合の実施例２の配光特性（角度特性）を示す図である。
【図１４】第１の入射面１３に対向するＬＥＤ２Ａを点灯させた場合の実施例２の照度分布に関する図で、（ａ）は照度分布を示し、（ｂ）（ｃ）は輝度値のグラフである。
【図１５】第１主面の法線に対して５５°傾いた方向（角度強度ピーク方向）から見た実施例２の輝度分布を示す図である。
【図１６】実施例３の導光板１の第１の入射面１３を第２主面側から見た拡大図である。
【図１７】ＬＥＤ２Ａを点灯させた場合の実施例３の配光特性（角度特性）を示す図である。
【図１８】第１の入射面１３に対向するＬＥＤ２Ａを点灯させた場合の実施例３の照度分布に関する図で、（ａ）は照度分布を示し、（ｂ）（ｃ）は輝度値のグラフである。
【図１９】第１主面の法線に対して５５°傾いた方向（角度強度ピーク方向）から見た実施例３の輝度分布を示す図である。
【図２０】実施例４の導光板１の第１の入射面１３を第２主面側から見た拡大図である。
【図２１】ＬＥＤ２Ａを点灯させた場合の実施例４の配光特性（角度特性）を示す図である。
【図２２】第１の入射面１３に対向するＬＥＤ２Ａを点灯させた場合の実施例４の照度分布に関する図で。（ａ）は照度分布を示し、（ｂ）（ｃ）は輝度値のグラフである。
【図２３】第１主面の法線に対して５５°傾いた方向（角度強度ピーク方向）から見た実施例４の輝度分布を示す図である。
【図２４】ＬＥＤ２Ａを点灯させた場合の実施例５の配光特性（角度特性）を示す図である。
【図２５】第１の入射面１３に対向するＬＥＤ２Ａを点灯させた場合の実施例５の照度分布に関する図で、（ａ）は照度分布を示し、（ｂ）（ｃ）は輝度値のグラフである。
【図２６】第１主面の法線に対して５５°傾いた方向（角度強度ピーク方向）から見た実施例５の輝度分布を示す図である。
【図２７】ＬＥＤ２Ａを点灯させた場合の実施例６の配光特性（角度特性）を示す図である。
【図２８】第１の入射面１３に対向するＬＥＤ２Ａを点灯させた場合の実施例６の照度分布に関する図で、（ａ）は照度分布を示し、（ｂ）（ｃ）は輝度値のグラフである。
【図２９】第１主面の法線に対して５５°傾いた方向（角度強度ピーク方向）から見た実施例６の輝度分布を示す図である。
【図３０】ＬＥＤ２Ａを点灯させた場合の実施例７の配光特性（角度特性）を示す図である。
【図３１】第１の入射面１３に対向するＬＥＤ２Ａを点灯させた場合の実施例７の照度分布に関する図で、（ａ）は照度分布を示し、（ｂ）（ｃ）は輝度値のグラフである。
【図３２】第１主面の法線に対して５５°傾いた方向（角度強度ピーク方向）から見た実施例７の輝度分布を示す図である。
【図３３】ＬＥＤ２Ａを点灯させた場合の実施例８の配光特性（角度特性）を示す図である。
【図３４】第１の入射面１３に対向するＬＥＤ２Ａを点灯させた場合の実施例８の照度分布に関する図で、（ａ）は照度分布を示し、（ｂ）（ｃ）は輝度値のグラフである。
【図３５】第１主面の法線に対して５５°傾いた方向（角度強度ピーク方向）から見た実施例８の輝度分布を示す図である。
【図３６】実施例９の導光板１の第１の入射面１３を第２主面側から見た拡大図である。
【図３７】光路偏向手段１８’のＶ溝を拡大して示す図である。
【図３８】ＬＥＤ２Ａを点灯させた場合の実施例９の配光特性（角度特性）を示す図である。
【図３９】第１の入射面１３に対向するＬＥＤ２Ａを点灯させた場合の実施例９の照度分布に関する図で、（ａ）は照度分布を示し、（ｂ）（ｃ）は輝度値のグラフである。
【図４０】第１主面の法線に対して５５°傾いた方向（角度強度ピーク方向）から見た実施例９の輝度分布を示す図である。
【図４１】ＬＥＤ２Ａを点灯させた場合の実施例１０の配光特性（角度特性）を示す図である。
【図４２】第１の入射面１３に対向するＬＥＤ２Ａを点灯させた場合の実施例１０の照度分布に関する図で、（ａ）は照度分布を示し、（ｂ）（ｃ）は輝度値のグラフである。
【図４３】第１主面の法線に対して５５°傾いた方向（角度強度ピーク方向）から見た実施例１０の輝度分布を示す図である。
【図４４】ＬＥＤ２Ａを点灯させた場合の実施例１１の配光特性（角度特性）を示す図である。
【図４５】第１の入射面１３に対向するＬＥＤ２Ａを点灯させた場合の実施例１１の照度分布に関する図で、（ａ）は照度分布を示し、（ｂ）（ｃ）は輝度値のグラフである。
【図４６】第１主面の法線に対して５５°傾いた方向（角度強度ピーク方向）から見た実施例１１の輝度分布を示す図である。
【発明を実施するための形態】
【００１２】
以下に本発明の実施形態を、図面を参照して説明する。また、同一構成部材については同一の符号を用い、詳細な説明は適宜省略する。
【００１３】
図１は、本実施形態による照明装置１０を導光板の上面（第２主面）の位置で切断して示す上面図であるが、一部寸法を誇張して示している。図２は、図１の構成をII-II線で切断して矢印方向に見た図である。本実施形態に係る照明装置は、面発光する照射面を備えた照明装置１０であって、例えば、机上を照明するタスクライトとして用いられると好適である。この照明装置１０は、図２に示すように、面発光する第１主面１１、および、この第１主面に対向して略平行に延在する第２主面１２を備える導光板１と、第１主面１１と第２主面１２とに交差する方向に延在し該導光板１の第１の入射面１３となる一つの側面部に対向して配設される複数の発光素子２Ａと、第１主面１１と第２主面１２と第１の入射面１３に交差する別の側面部である一対の第２の入射面１４（図１参照）に対向して配設される複数の発光素子２Ｂとを備えて、発光素子２Ａ，２Ｂが射出する光を、入射面１３，１４から入射して導光板１内に導光して第１主面１１から射出するものである。ここで、第２の入射面１４は第１主面１１及び第２主面１２に直交する平面であるが、第１の入射面１３は、図１に示すように、発光素子２Ａの並び方向に沿って周期的に繰り返す凹凸形状ＰＪを有する。
【００１４】
図３は、図１の矢印III部を拡大して示す拡大図である。第１の入射面１３の凹凸形状ＰＪは、第２主面に直交する図１の方向から見たときに、一対の斜面からなる同じＶ溝形状１３ａを周期的に繰り返す構造である。Ｖ溝形状１３ａの頂角をθｐ（°）、最大幅をｌｐ（ｍｍ）とすると、以下の式を満たすと好ましい。又、最大幅ｌｐは、ＬＥＤ２Ａのピッチに応じた長さであると好ましい。ここでは、溝幅ｌｐ=０．２mmとしている。例えば、Ｖ溝形状１３ａの数とＬＥＤ２Ａの数が同じであるときは、Ｖ溝形状１３ａの中心にＬＥＤ２Ａの中心を合わせるのが良い。Ｖ溝形状１３ａは、なるべく細かいピッチで作製した方が、ＬＥＤ２Ａ発光面の輝度ムラを抑制出来て好ましい。つまり、ＬＥＤ２Ａの数より、Ｖ溝形状１３ａの数の方が多いと好ましいが、Ｖ溝形状１３ａを細かくする程、加工コストが上がる。両者のバランスを考え、最低でもＬＥＤ２Ａの個数とＶ溝形状１３ａの数は１対１である事が望ましい。
４５≦θｐ≦９０              （６）
０．０２５≦ｌｐ≦０．６      （７）
【００１５】
図１において、導光板１は平板状であって、第１主面１１を露出するようにして、発光素子２Ａ，２Ｂと共にケース３に一体的に収容されて構成される。
【００１６】
発光素子２Ａ，２Ｂは、入射面１３、１４の方向に照明光を射出する光源であればよく、例えば、線状の光源（冷陰極管）や入射面１３の長手方向に間隔をおいて配設する複数の点状光源（ＬＥＤ）を用いることができる。また、低消費電力で発光強度が高く、白色発光するＬＥＤを用いることが好ましい。そのために、本実施形態では白色ＬＥＤを用いることとした。ここで、発光素子２Ａ，２Ｂに代えてＬＥＤ２Ａ，２Ｂとして以後説明する。ＬＥＤ２Ａ，２Ｂは、ケース３の内側の側壁３ａに取り付けられる基板２１Ａ，２１Ｂの長手方向（紙面に垂直な方向）に、直線的に略等間隔（例えば、約４．５ｍｍピッチ）で複数配列されている。ＬＥＤ２Ａと基板２１Ａとで第１の光源を構成し、２組のＬＥＤ２Ｂと基板２１Ｂとで第２の光源を構成する。
【００１７】
ＬＥＤ２Ａ，２Ｂは、白色ＬＥＤを好適に用いることが出来、青色ＬＥＤと、青色ＬＥＤからの光に励起されて所定波長の励起光を発光する蛍光体（例えば、黄色蛍光体）を組み合わせて白色発光するものである。また、白色ＬＥＤは、赤色ＬＥＤ、青色ＬＥＤ、緑色ＬＥＤを組み合わせた高演色ＬＥＤを用いてもよい。高演色ＬＥＤを用いることにより、高い色再現性の必要な用途に好適な照明装置を実現することが可能である。
【００１８】
基板２１Ａ，２１Ｂは、例えば、入射面１３、１４の長手方向の全幅程度の長さとされ、この基板２１Ａ，２１Ｂに複数のチップ型のＬＥＤ２Ａ，２Ｂを所定ピッチで搭載する。このように、基板２１Ａ，２１Ｂは、長手方向に一体とされるが、複数の基板に分け、それぞれを電気的に接続する構成としてもよい。また、基板２１Ａ，２１Ｂは、照明装置外部に配置される電源回路（不図示）と配線により接続され、不図示のスイッチを操作することにより、ＬＥＤ２Ａ，２Ｂを独立して点灯又は消灯可能となっていると好ましい。
【００１９】
第１の基板２１Ａと、第１の入射面１３との間には、位置決め部材１９が配置されている。位置決め部材１９は、例えば雄ねじが外周に形成されたピン状部材であって、第１の基板２１Ａに形成されたねじ孔にねじ込むことが可能となっていて、ねじ込み量を変更することで突出量を調整できるようになっている。よって、突出量が調整された位置決め部材１９の先端を第１の入射面１３に当接させることで、第１の光源２Ａと導光板１との間隔を精度良く位置決めできる。
【００２０】
図１に示すように、第１の入射面１３と反対側の対向面である端面１５は、第２主面１２に対して鋭角であるテーパー形状を有している。入射面１３，１４、第１主面１１、第２主面１２は鏡面であり、テーパー状の端面１５は拡散面であると好ましい。端面１５には反射テープ１６を貼り付けている。これにより、導光板１内を端面１５まで導光され、反射されずに通過した光は、反射テープ１６で反射されることとなる。第１主面１１とテーパー形状の端面１５とのなす角をθｔ（°）とすると、以下の式を満たすと好ましい。この角はθt ≦45°が望ましく、折れや欠けを防止する為、先端を第１主面と直交させるようの切り落としたような形状で、第２主面１２から高さl θt= 0.1 mmからθt = 15°で構成される。
０＜θｔ≦４５      （１０）
【００２１】
端面１５とケース３との間には、弾性体としてブロック状のゴム１７が接着等により配置されている。組み付けた状態で、ゴム１７は圧縮変形しており、その弾性力により導光板１を位置決め部材１９に向かって押圧している。尚、導光板１の端面１５に反射テープを貼っていない場合には、ゴム１７の表面を白色とすることで、導光板１の端面１５から出射した光を導光板１内に戻す機能が高まる。ゴム１７としては、黒色のゴムの場合、例えば株式会社ロジャースイノアックの製品名ＰＯＲＯＮ（登録商標）Ｈシリーズ等を用いることができ、白色のゴムの場合、反射タイプの合成ゴム、又は黒ゴム+反射拡散シート（例えば株式会社きもとの製品名レフホワイト（登録商標）や、東レ株式会社の製品名ルミラー（登録商標））等を用いることができる。
【００２２】
図２において、第２主面１２上には、光路偏向手段１８として紙面垂直方向に延在する複数のＶ溝を採用している。光路偏向手段１８を、射出面に対向する反対側の第２主面１２に設けることで、照度分布の均一化を図ることができ、射出面位置での照度分布をより均一にできる。
【００２３】
また、光路偏向手段１８を構成する複数のＶ溝は、図４に示すように、入射面１３側の第１斜面Ｖ１Ａと、該第１斜面Ｖ１Ａと共にＶ溝を形成する第２斜面Ｖ２Ａとを有しており、この第１斜面Ｖ１Ａと第２斜面Ｖ２Ａとの傾斜角度を変えることで、第１主面１１の垂線方向から所定角度だけ偏向する照明光の最大ピーク強度光の方向を調整することができる。第１斜面Ｖ１Ａと第２主面１２とのなす角をθ１（°）、第２斜面Ｖ２Ａと第２主面１２とのなす角度をθ２（°）としたときに、以下の式を満たすので、第１主面１１の法線に対して大きく傾いた方向に光を出射できる。但し、ここでは、第1斜面Ｖ１Ａと第2主面１２のなす角θ１ = 10°、第２斜面Ｖ２Ａと第２主面１２のなす角θ２ = 80°としている。
４≦θ１≦１４      （１）
θ１≦θ２          （２）
【００２４】
以下の式を満たすと更に好ましい。
８０≦θ２≦１６０      （３）
θ１＋θ２＝９０        （４）
【００２５】
尚、光路偏向手段１８の平行するＶ溝のピッチは等間隔でも良いし、ＬＥＤ２Ａから離れるにつれて小さくなるようにしても良い。Ｖ溝を等間隔に配置すると、意匠的にはすぐれているが、発光面での輝度分布がＬＥＤ２Ａから遠ざかるに従って暗くなる場合がある。一方、Ｖ溝ピッチを徐々に小さくした場合、発光面の輝度均一度が高くなり、光取り出し効率を上げやすいという利点がある。尚、光路偏向手段１８は、入射面１３から所定距離にわたって設けないことが望ましい。ここでは、V溝の幅、ピッチはＬＥＤ２Ａの発光面のギラツキ感に影響を与え、その幅、ピッチが細かい方が望ましく、V溝の幅l = 0.5 mm、V溝のピッチp = 0.75 mmとしている。
【００２６】
ここで、導光板１は、屈折率１以上の透明部材であり、例えば、フレキシブルな素材であるシリコーン樹脂シートなどを使用できる。但し、導光板１の材料は、用途に応じ、屈折率約1.5のPMMA、ガラス材料、PMMA以外のアクリル、ポリカ、可塑性を有するシリコーンを用いても良い。
【００２７】
第１主面１１に隣接するようにして、ヘイズ値５０％以下の拡散性を有する拡散板５がケース３に取り付けられている。
【００２８】
照明装置１０の動作を説明すると、ＬＥＤ２Ａから出射された光束は、図１に示すように第１の入射面１３のＶ溝１３ａに入射し屈折して広がるようになり、その後、図２に示すように第１主面１１と第２主面１２との間を全反射しながら導光され、光路偏向手段１８により反射拡散され全反射角から外れた光束が、第１主面１１から照明光として射出される。このとき、第１主面１１の法線に対する、出射光線のうち最も強度ピークが高い光線の角度θｍａｘは、５０°以上、７０°以下の傾きを持って出射される。一方、導光板１内を導光するが光路偏向手段１８により捕捉されなかった光は、最終的に端面１５に入射して、ここで反射されて第１主面１１で反射する。よって、導光板１内を導光された光は逆方向に戻ることなく、全て第１主面１１から出射されることとなる。尚、端面１５は拡散性を有するので、広がった光線が出射される。
【００２９】
尚、第２主面１２の外側に反射板４を配置することで、光路偏向手段１８により偏向されて第２主面１２の外側に漏れ出した光を反射して再び導光板１内に戻すことができ、第１主面１１から射出する照明光の強度を大きくすることができ、高効率の照明装置１０を実現することができる。一般的な照明装置では、反射板として拡散特性の高い白色反射板を用いることが多いが、本実施形態では、ミラーシート、又はミラーシートに準ずる拡散効果の小さい反射面を用いることが望ましい。拡散特性が大きすぎると、所望の斜め配光以外の角度に射出する光束が増加し、使用状態によっては、眩しさ(グレア)の原因になる。
【００３０】
反射板４は、その内面にミラー処理やミラーフィルムを貼付した樹脂板や、白色塗装の白色反射処理やミラー処理を施した反射面を有するアルミ板金などを用いることができる。また、導光板１を収容するケース３の内面を、例えば、アルミ製板金に白色塗装の白色反射処理やミラー処理を施した反射面として形成してもよく、反射フィルム（例えば、きもと社製のレフホワイト）を用いる構成としてもよい。又、第１主面１１とケース３との間にも、同様の反射板４を設けると好ましい。
【００３１】
一方、ＬＥＤ２Ｂから出射された光束は、第２の入射面１４から入射し、第１主面１１と第２主面１２との間を全反射しながら導光され、第１主面１１から直下方向に照明光として射出される。第１主面１１から出射した光は、拡散板５を通過することで拡散されるので、発光面の輝度ムラ・グレアを抑制しつつ、照射範囲を拡大できる。
【００３２】
図５は、第１の入射面１３の変形例にかかる図３と同様な拡大図である。本変形例において、第１の入射面１３の凹凸形状ＰＪは、第２主面に直交する図１の方向から見たときに、円弧形状１３ｂを周期的に繰り返している構造であり、円弧形状１３ｂの曲率をκ（１／ｍｍ）としたときに、以下の式を満たすと好ましい。尚、曲率κ=a/ b2（但し、a：長軸半径、b：短軸半径）である。
０＜κ≦３２０      （５）
【００３３】
図６は、別な実施形態にかかる導光板の上面図である。図７は、図６の導光板の斜視図である。光路偏向手段１８’のＶ溝は、第２主面１２に直交する図６の方向から見たときに、光源の発光面を通る仮想面ＶＰからの距離が周期的に変化するように折れ曲がって形成されている。
【００３４】
Ｖ溝の折れ曲がった一単位ＶＵにおいて、折れ曲がり角度をθｃ（°）、長さをｌｃ（ｍｍ）とすると、以下の式を満たすと好ましい。
９０≦θｃ≦１６０      （８）
０＜ｌｃ≦４            （９）
【００３５】
これにより、第１の入射面１３の凹凸形状１３ａで屈折された光を、光路偏向手段１８’のＶ溝で反射する際に、広範囲に散らすことが出来、発光面の輝度ムラ・グレアを抑制しつつ、高効率で照明光を出射することができ、美観に優れた照明装置を提供できる。
【００３６】
（実施例）
以下、本発明の実施例を説明するが、本発明は以下の実施例に限定されるものではない。本実施例で用いる導光板のサイズは、以下の実施例では共通しており、長さL50mm、厚さｔ3mm、幅（紙面に垂直方向）140ｍｍで、反射板やケースの内面は高反射率の物が望ましい。また、光路偏向手段であるV溝において、第１斜面Ｖ１Ａと第２主面のなす角はθ１＝１０°、第２斜面と第２主面のなす角はθ２＝８０°、Ｖ溝の幅ｌ＝０．５ｍｍ、Ｖ溝のピッチｐ＝０．７５ｍｍとしている。本実施例では共通して反射板，反射テープの反射率Ｒ＝８０％、ケースの反射率Ｒ＝７０％としている。また、ＬＥＤ光源は、白色・昼白色・電球色等のＬＥＤを単独ないしは組み合わせて使用しており、調光・調色が可能となる様な構成になっている。また、ＲＧＢ発光可能なカラー発光ＬＥＤでも良い。ＬＥＤと入射面は、その距離が近い程、ＬＥＤからの出射光がロスなく導光板に入射する為、近い方が望ましく、本実施例では共通して０．３ｍｍの隙間としている。又、テーパー状の端面１５の第１主面１１とのなす角θｔは１５°である。なお、以下の図において、１０のべき乗数（たとえば２．５×１０2）を、Ｅ（たとえば２．５Ｅ＋０２）を用いて表す場合がある。
【００３７】
（実施例１）
実施例１は、図１，２の実施形態に好適である。図８は、実施例１の導光板１の上面図である。ここでは、光路偏向手段のＶ溝は、第２の入射面１４に対して直交するストレート形状である。また、第１の入射面１３は平面である。実施例１では、第２の入射面に対向するＬＥＤを用いない。又、第１の入射面１３に対向する端面１５は、鏡面としている。
【００３８】
図９において、ＬＥＤ２Ａを点灯させた場合の実施例１の配光特性（角度特性）を示す。ＬＥＤ２Ａを点灯させた実施例１の照明装置は、図２に示す断面において、図９に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００３９】
図１０に、第１の入射面１３に対向するＬＥＤ２Ａを点灯させた場合の実施例１の照度分布であって、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。尚、図１０（ａ）において、白に近いほど照度が高いことを示しているが、中央の白丸は原点を示すもので照度とは無関係である（以下、同じ）。図１０（ａ）〜（ｃ）に示すように、ＬＥＤ２Ａを点灯させた実施例１の照明装置は、照明直下よりＬＥＤ２Ａから遠ざかる側へ、約３００ｍｍ離れた側が明るく照明される照度分布となった。
【００４０】
図１１は、第１主面の法線に対して５５°傾いた方向（角度強度ピーク方向）から見た輝度分布を示す図である。図１１から明らかであるが、実施例１の導光板を用いることで輝度値を下げる事ができるから、グレアレスな照明となり、より高品位な照明装置となっている。
【００４１】
（実施例２）
実施例２は、図１，２の実施形態に好適である。図１２は、実施例２の導光板１の第１の入射面１３を第２主面側から見た拡大図である。ここで、第１の入射面は、図１２に示すような半円状の凹凸形状を有しており、曲率κ=5.0としている。円・楕円の曲率κ=a/b2（a：長軸半径、b：単軸半径）で定義される。それ以外は、実施例１と共通である。
【００４２】
図１３に、第１の入射面１３に対向するＬＥＤ２Ａを点灯させた場合の実施例２の配光特性（角度特性）を示す。ＬＥＤ２Ａを点灯させた実施例２の照明装置は、図２に示す断面において、図１３に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００４３】
図１４において、ＬＥＤ２Ａを点灯させた場合の実施例２の照度分布であって、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。図１４（ａ）〜（ｃ）に示すように、ＬＥＤ２Ａを点灯させた実施例２の照明装置は、照明直下よりＬＥＤ２Ａから遠ざかる側へ、約３００ｍｍ離れた側が明るく照明される照度分布となった。
【００４４】
図１５は、第１主面の法線に対して５５°傾いた方向（角度強度ピーク方向）から見た輝度分布を示す図である。図１１と比較するに、実施例２の導光板を用いることで、輝度分布の最大輝度値が実施例1の約55%程度となっており、約2倍程度発光面の美観性が向上したと言える。
【００４５】
（実施例３）
実施例３は、図１，２の実施形態に好適である。図１６は、実施例３の導光板１の第１の入射面１３を第２主面側から見た拡大図である。ここで、第１の入射面は、図１６に示すような半楕円状の凹凸形状を有しており、曲率κ=１０としている。それ以外は、実施例２と共通である。
【００４６】
図１７に、第１の入射面１３に対向するＬＥＤ２Ａを点灯させた場合の実施例３の配光特性（角度特性）を示す。ＬＥＤ２Ａを点灯させた実施例３の照明装置は、図２に示す断面において、図１３に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００４７】
図１８において、ＬＥＤ２Ａを点灯させた場合の実施例３の照度分布であって、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。図１８（ａ）〜（ｃ）に示すように、ＬＥＤ２Ａを点灯させた実施例３の照明装置は、照明直下よりＬＥＤ２Ａから遠ざかる側へ、約３００ｍｍ離れた側が明るく照明される照度分布となった。
【００４８】
図１９は、第１主面の法線に対して５５°傾いた方向（角度強度ピーク方向）から見た輝度分布を示す図である。図１１と比較するに、実施例３の導光板を用いることで輝度分布の最大輝度値が、実施例1の約４６%程度となっており、実施例２よりも更に発光面の美観性が向上したと言える。
【００４９】
（実施例４）
実施例４は、図１，２の実施形態に好適である。図２０は、実施例４の導光板１の第１の入射面１３を第２主面側から見た拡大図である。ここで、第１の入射面は、図２０に示すようなＶ溝状の凹凸形状を有しており、その頂角θｐ＝６５°、最大幅ｌｐ＝０．４ｍｍとしている。それ以外は、実施例１と共通である。
【００５０】
図２１に、第１の入射面１３に対向するＬＥＤ２Ａを点灯させた場合の実施例４の配光特性（角度特性）を示す。ＬＥＤ２Ａを点灯させた実施例４の照明装置は、図２に示す断面において、図２１に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００５１】
図２２において、ＬＥＤ２Ａを点灯させた場合の実施例４の照度分布であって、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。図２２（ａ）〜（ｃ）に示すように、ＬＥＤ２Ａを点灯させた実施例４の照明装置は、照明直下よりＬＥＤ２Ａから遠ざかる側へ、約３００ｍｍ離れた側が明るく照明される照度分布となった。
【００５２】
図２３は、第１主面の法線に対して５５°傾いた方向（角度強度ピーク方向）から見た輝度分布を示す図である。図１１と比較するに、実施例４の導光板を用いることで輝度分布の最大輝度値が、実施例1の約４６%程度となっており、実施例３と同様に発光面の美観性が向上したと言える。
【００５３】
（実施例５）
実施例５は、図１，２の実施形態に好適である。実施例５は、実施例１に対し、第１の入射面１３に対向するテーパー状の端面１５が、鏡面ではなく凹凸形状の粗面にしている。粗面にする事で、拡散板５と同様な拡散面になり、粗面であるテーパー状の端面１５から反射した光線は斜め方向への指向性が弱まり、照明装置直下方向にも拡がりを持つ様になる。粗面は出射光線の分布をガウス関数でフィットし、拡がりを表す係数、拡散度σを用いて表記し、実施例５での端面１５の拡散度σはσ=6（°）である。それ以外は、実施例１と共通である。
【００５４】
図２４に、第１の入射面１３に対向するＬＥＤ２Ａを点灯させた場合の実施例５の配光特性（角度特性）を示す。ＬＥＤ２Ａを点灯させた実施例５の照明装置は、図２に示す断面において、図２４に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００５５】
図２５において、ＬＥＤ２Ａを点灯させた場合の実施例５の照度分布であって、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。上述した実施例１の端面１５が鏡面のものでは、導光方向（光源から遠ざかる方向）の照度分布は、照明装置直下を０ｍｍとしたときに、0〜200mm程度まではほぼ光が無い状態で、ピーク付近で急激に明るくなり、ピーク以降は急激に暗くなるといった分布であったが、実施例５では、0〜200mm付近で徐々に明るくなりピークを迎え、ピーク以降も滑らかに暗くなり始めるといった、より柔らかい照明空間となっている。以上の事から、テーパー形状の端面１５を散乱面にする事で、より広範囲を照明する事ができ、柔らかい高品質な照明空間を提供出来る事が分かる。
【００５６】
図２６は、第１主面の法線に対して５５°傾いた方向（角度強度ピーク方向）から見た輝度分布を示す図である。
【００５７】
（実施例６）
実施例６は、図１，２の実施形態に好適である。実施例６は、実施例２に対し、第１の入射面１３に対向するテーパー状の端面１５が、鏡面ではなく凹凸形状の粗面にしている。粗面は出射光線の分布をガウス関数でフィットし、拡がりを表す係数、拡散度σを用いて表記し、実施例６での端面１５の拡散度σはσ=6（°）である。それ以外は、実施例２と共通である。
【００５８】
図２７に、第１の入射面１３に対向するＬＥＤ２Ａを点灯させた場合の実施例６の配光特性（角度特性）を示す。ＬＥＤ２Ａを点灯させた実施例６の照明装置は、図２に示す断面において、図２７に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００５９】
図２８において、ＬＥＤ２Ａを点灯させた場合における、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。上述した実施例２の端面１５が鏡面のものと比較して、より広範囲で照明可能である。
【００６０】
図２９は、第１主面の法線に対して５５°傾いた方向（角度強度ピーク方向）から見た輝度分布を示す図である。図２９に示すように、実施例６は、実施例５よりも発光面の最大輝度値が45%低減しており、より機能性・美観性が共に高い照明装置を提供出来る事が分かる。
【００６１】
（実施例７）
実施例７は、図１，２の実施形態に好適である。実施例７は、実施例３に対し、第１の入射面１３に対向するテーパー状の端面１５が、鏡面ではなく凹凸形状の粗面にしている。粗面は出射光線の分布をガウス関数でフィットし、拡がりを表す係数、拡散度σを用いて表記し、実施例７での端面１５の拡散度σはσ=6（°）である。それ以外は、実施例３と共通である。
【００６２】
図３０に、第１の入射面１３に対向するＬＥＤ２Ａを点灯させた場合の実施例７の配光特性（角度特性）を示す。ＬＥＤ２Ａを点灯させた実施例７の照明装置は、図２に示す断面において、図３０に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００６３】
図３１において、ＬＥＤ２Ａを点灯させた場合における、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。上述した実施例３の端面１５が鏡面のものと比較して、より広範囲で照明可能である。
【００６４】
図３２は、第１主面の法線に対して５５°傾いた方向（角度強度ピーク方向）から見た輝度分布を示す図である。図３２に示すように、実施例７は、実施例５よりも発光面の最大輝度値が５４%低減しており、より機能性・美観性が共に高い照明装置を提供出来る事が分かる。
【００６５】
（実施例８）
実施例８は、図１，２の実施形態に好適である。実施例８は、実施例４に対し、第１の入射面１３に対向するテーパー状の端面１５が、鏡面ではなく凹凸形状の粗面にしている。粗面は出射光線の分布をガウス関数でフィットし、拡がりを表す係数、拡散度σを用いて表記し、実施例８での端面１５の拡散度σはσ=6（°）である。それ以外は、実施例４と共通である。
【００６６】
図３３に、第１の入射面１３に対向するＬＥＤ２Ａを点灯させた場合の実施例８の配光特性（角度特性）を示す。ＬＥＤ２Ａを点灯させた実施例８の照明装置は、図２に示す断面において、図３３に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００６７】
図３４において、ＬＥＤ２Ａを点灯させた場合における、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。上述した実施例４の端面１５が鏡面のものと比較して、より広範囲で照明可能である。
【００６８】
図３５は、第１主面の法線に対して５５°傾いた方向（角度強度ピーク方向）から見た輝度分布を示す図である。図３５に示すように、実施例８は、実施例５よりも発光面の最大輝度値が６２%低減しており、より機能性・美観性が共に高い照明装置を提供出来る事が分かる。以上の実施例1〜8より、テーパー状の端面１５を散乱面にする事で、配光特性を維持しながらも、より広範囲な照明範囲を実現出来る事が分かる。
【００６９】
（実施例９）
実施例９は、図６，７の実施形態に好適である。図３６は、実施例９の導光板１の第１の入射面１３を第２主面側から見た拡大図である。図３７は、光路偏向手段１８’のＶ溝を拡大して示す図である。図３６、３７に示す方向から見たときに、光路偏向手段１８’のＶ溝は、光源の発光面を通る仮想面ＶＰからの距離が周期的に変化するように折れ曲がって形成されている。図３７を参照して、実施例９ではＶ溝の折れ曲がりの頂角θC = 140°、Ｖ溝単位の幅lC = 2mmとしている。Ｖ溝折れ曲がり形状は、第１の入射面１３で拡げた光線を、第１主面１１から取り出し易くなる効果があり、より高効率な照明装置を提供出来る。尚、それ以外の構成は実施例６と同様である（テーパー状の端面１５は拡散面である）。
【００７０】
図３８に、第１の入射面１３に対向するＬＥＤ２Ａを点灯させた場合の実施例９の配光特性（角度特性）を示す。ＬＥＤ２Ａを点灯させた実施例９の照明装置は、図２に示す断面において、図３８に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００７１】
図３９において、ＬＥＤ２Ａを点灯させた場合の実施例９の照度分布であって、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。図３９（ａ）〜（ｃ）に示すように、ＬＥＤ２Ａを点灯させた実施例９の照明装置は、実施例６よりも導光方向に直交する方向においてなめらかな輝度変化を示している。又、実施例６に比べて照明効率が３％増大する。つまり、光路偏向手段１８’のＶ溝を折り曲げることで、より機能性が高まる。
【００７２】
図４０は、第１主面の法線に対して５５°傾いた方向（角度強度ピーク方向）から見た輝度分布を示す図である。
【００７３】
（実施例１０）
実施例１０は、図６，７の実施形態に好適である。実施例１０も、光路偏向手段１８’のＶ溝が、実施例９と同様に、光源の発光面を通る仮想面ＶＰからの距離が周期的に変化するように折れ曲がって形成されている。尚、それ以外の構成は実施例７と同様である（テーパー状の端面１５は拡散面である）。
【００７４】
図４１に、第１の入射面１３に対向するＬＥＤ２Ａを点灯させた場合の実施例１０の配光特性（角度特性）を示す。ＬＥＤ２Ａを点灯させた実施例１０の照明装置は、図２に示す断面において、図３８に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００７５】
図４２において、ＬＥＤ２Ａを点灯させた場合の実施例１０の照度分布であって、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。図４２（ａ）〜（ｃ）に示すように、ＬＥＤ２Ａを点灯させた実施例１０の照明装置は、実施例７よりも入射面１３に沿った方向においてなめらかな輝度変化を示している。
【００７６】
図４３は、第１主面の法線に対して５５°傾いた方向（角度強度ピーク方向）から見た輝度分布を示す図である。
【００７７】
（実施例１１）
実施例１１は、図６，７の実施形態に好適である。実施例１１も、光路偏向手段１８’のＶ溝が、実施例９と同様に、光源の発光面を通る仮想面ＶＰからの距離が周期的に変化するように折れ曲がって形成されている。尚、それ以外の構成は実施例８と同様である（テーパー状の端面１５は拡散面である）。
【００７８】
図４４に、第１の入射面１３に対向するＬＥＤ２Ａを点灯させた場合の実施例１１の配光特性（角度特性）を示す。ＬＥＤ２Ａを点灯させた実施例１０の照明装置は、図２に示す断面において、図３８に示すように、第１主面の法線方向を０°としたときに、最も光強度が高い光線が、ＬＥＤ２Ａから遠ざかる側にθｍａｘ５５°傾いて出射されることとなる。この様な特性を持つ照明装置の用途としては、超低背なスタンドライト（タスクライト）等が好適である
【００７９】
図４５において、ＬＥＤ２Ａを点灯させた場合の実施例１１の照度分布であって、（ａ）は、第２主面から直下方向２２５mm位置での照度分布を示し、（ｂ）は、導光板の中心を通る入射面１３に沿った方向の輝度値のグラフであり、（ｃ）は、導光板の中心を通る入射面１４に沿った方向の輝度値のグラフである。図４５（ａ）〜（ｃ）に示すように、ＬＥＤ２Ａを点灯させた実施例１１の照明装置は、実施例８よりも入射面１３に沿った方向においてなめらかな輝度変化を示している。また、光路偏向手段１８’の折れ曲がったＶ溝の効果で、拡げた光を出射時に狭める事が出来る為、実施例８のX方向の照度分布（図３４（ｃ））がピーク付近で急激な変化を示しているのに対し、実施例１１のX方向の照度分布（図４５（ｃ））では変化がなめらかになり、改善されている事が分かる。
【００８０】
図４６は、第１主面の法線に対して５５°傾いた方向（角度強度ピーク方向）から見た輝度分布を示す図である。
【００８１】
以下、好ましい態様についてまとめて説明する。
【００８２】
上記照明装置において、前記入射面、前記第１主面、前記第２主面は鏡面であり、前記テーパー状の端面は拡散面であることが好ましい。前記入射面、前記第１主面、前記第２主面を鏡面とすることで、光が透過／反射する際のロスを抑えることができる。又、前記テーパー状の端面を拡散面とすることで、前記端面で反射し前記第１主面から出射する光に拡散性を持たせて広範囲を照明できる。すなわち、前記テーパー状の端面に到達する前に前記第１主面から傾いて出射した光と、前記テーパー状の端面で反射して前記第１主面から出射した光とで相まって、有効な照明を行うことができる。拡散面としては、鏡面でなければ良く、シボ加工や粗し加工を施した面も含む。好ましくは面粗さがＲａ０．２以上のものをいう。表面粗さＲａを光束の波長の１／２以上の値にすることで拡散効果を有することが可能となる。また、一般的に鏡面はＲａ０．０２５以下をいう。
【００８３】
また、以下の式を満たすことが好ましい。
８０≦θ２≦１６０      （３）
【００８４】
（３）式を満たすことで、前記光路偏向手段を精度良く成形しやすくなる。
【００８５】
また、以下の式を満たすことが好ましい。
θ１＋θ２＝９０      （４）
【００８６】
（４）式を満たすことで、前記光路偏向手段を精度良く成形しやすくなる。
【００８７】
また、前記入射面は、前記光源に沿った方向に周期的に繰り返される凹凸形状を有することが好ましい。前記光源から出射した光を前記入射面の凹凸形状で屈折させることが出来、発光面の輝度ムラ・グレアを有効に低減でき、美観に優れた照明装置を提供できる。
【００８８】
また、前記凹凸形状は、前記第２主面に直交する方向に見たときに、円弧形状を周期的に繰り返していることが好ましい。
【００８９】
また、前記円弧形状の曲率をκ（１／ｍｍ）としたときに、以下の式を満たすことが好ましい。
０＜κ≦３２０      （５）
【００９０】
（５）式を満たすことで、輝度ムラを有効に低減できる。ここで、円弧形状が、楕円の式（ｘ2／a2）＋（ｙ2／ｂ2）＝１、（但し、ａ:長軸半径、ｂ:短軸半径）で表されるとき、その曲率半径ｒは、ｒ＝（ｂ2／ａ）と表現でき、曲率κは、κ＝（１／ｒ）となる（円の場合は円の半径ｒ＝ａ＝ｂが適用される）。
【００９１】
また、前記凹凸形状は、前記第２主面に直交する方向に見たときに、Ｖ溝形状を周期的に繰り返していることが好ましい。
【００９２】
また、前記Ｖ溝形状の頂角をθｐ（°）、最大幅をｌｐ（ｍｍ）とすると、以下の式を満たすことが好ましい。
４５≦θｐ≦９０              （６）
０．０２５≦ｌｐ≦０．６      （７）
【００９３】
（６）、（７）式を満たすことで、輝度ムラを有効に低減できる。
【００９４】
また、前記光路偏向手段のＶ溝は、前記第２主面に直交する方向に見たときに、前記光源の発光面を通る仮想面からの距離が周期的に変化するように折れ曲がって形成されていることが好ましい。これにより、前記凹凸形状で屈折された光を前記Ｖ溝形状で反射する際に、広範囲に散らすことが出来、発光面の輝度ムラ・グレアを抑制しつつ、高効率で照明光を出射することができ、美観に優れた照明装置を提供できる。「仮想面」とは、光源の発光面が単一であるときは、その発光面と重なる面をいい、光源の発光面が複数あるときは、全ての発光面を通る面をいう。湾曲した面に沿って複数の発光面が配置されている場合、複数の発光面により近似される湾曲面を仮想面とする。
【００９５】
また、前記Ｖ溝の折れ曲がった一単位において、折れ曲がり角度をθｃ（°）、長さをｌｃ（ｍｍ）とすると、以下の式を満たすことが好ましい。
９０≦θｃ≦１６０      （８）
０＜ｌｃ≦４            （９）
【００９６】
（８）、（９）式を満たすことで、照明効率を高め、輝度ムラを有効に低減できる。
【００９７】
また、前記第１主面と前記テーパー形状の端面とのなす角をθｔ（°）とすると、以下の式を満たすことが好ましい。
０＜θｔ≦４５      （１０）
【００９８】
（１０）式を満たすことで、高い照明効率を確保しつつ、広範囲に照明光を向けることができる。
【００９９】
また、前記第２主面と前記テーパー形状の端面に隣接して、反射部材を設けたことが好ましい。前記端面を透過した光を前記反射部材で反射させ、前記第１主面から出射することで、照明効率を高めることができる。尚、照明装置のケースと、第１主面及び光源との間に反射部材を設けても良いが、出射面以外全てに反射部材がある事が望ましい。
【０１００】
また、前記照明装置はケースを有し、前記ケースと前記テーパー形状の端面との間に弾性部材を設けるとともに、前記入射面と前記光源との間に位置決め部材を設けたことが好ましい。前記入射面と前記光源との間に位置決め部材を設けることで、前記入射面に入射させる光の量を最適に調整できる。又、前記入射面と前記光源との間に位置決め部材を設けた場合、温度変化等に起因する前記導光板の変形が問題になるが、前記ケースと前記テーパー形状の端面との間に弾性部材を設けることで、前記導光板の変形を吸収できる。
【０１０１】
また、前記第１主面に隣接して、ヘイズ値５０％以下の拡散性を有する拡散板を設けることが好ましい。これにより、発光面の輝度ムラ・グレアを抑制しつつ、照射範囲を拡大できる。ヘイズ値は、１００×Td／Ttで表せる。但し、Td ： 拡散透過率（入射した光線が拡がって透過した分量）、Tt ： 全光線透過率（入射した光線が拡がらずに透過した分量）である。ヘイズ値が低い方が拡散性は低く、透明であり、ヘイズ値が高い方が拡散性は高く、不透明である。前記拡散板の拡散性が高いと、斜め配光性が失われる恐れがあるので、なるべく斜め配光性を失わず、かつ、美観性の向上とより広範囲を照射出来る、適切なヘイズ値を持った拡散板の選定が重要である。かかる観点から、ヘイズ値が50%以下のものが望ましい。このような拡散板としては、株式会社きもと製のライトアップUK4やUK2などを用いることができる。
【０１０２】
また、前記入射面は，前記テーパー形状の端面と対向する第１入射面と、前記第１入射面に交差する第２入射面とを有し、前記光源は、前記第１入射面に対向する第１光源と、前記第２入射面に対向する第２光源とを有することが好ましい。これにより，光源の発光量を増大させることで照明光の照度を高めることができる。又、前記第１光源と前記第２光源のうち一方を点灯させ，他方を消灯することで、複数の照度パターンを実現することも可能になる。
【０１０３】
また、前記導光板はフレキシブルな素材から形成されていることが好ましい。これにより、前記第１主面を曲面とすることもできる。尚、フレキシブルな素材とは、ＰＤＭＳ等のシリコーン樹脂などがある。
【０１０４】
本発明は、本明細書に記載の実施形態、実施例に限定されるものではなく、他の実施形態・実施例・変形例を含むことは、本明細書に記載された実施形態や実施例や技術思想から本分野の当業者にとって明らかである。
【符号の説明】
【０１０５】
１                導光板
２Ａ，２Ｂ        発光素子（ＬＥＤ）、光源
３                ケース
１０              照明装置
１１              第１主面
１２              第２主面
１３              第１の入射面
１４              第２の入射面
１５              テーパー状の端面
１６              反射テープ
１７              弾性部材（ゴム）
１８，１８’      光路偏向手段
１９              位置決め部材
２１Ａ，２１Ｂ    基板
Ｖ１Ａ            第１斜面
Ｖ１Ｂ            第１斜面
Ｖ２Ａ            第２斜面
Ｖ２Ｂ            第２斜面
【図１】
2014208291.tif 000003
【図２】
2014208291.tif 000004
【図３】
2014208291.tif 000005
【図４】
2014208291.tif 000006
【図５】
2014208291.tif 000007
【図６】
2014208291.tif 000008
【図７】
2014208291.tif 000009
【図８】
2014208291.tif 000010
【図９】
2014208291.tif 000011
【図１０】
2014208291.tif 000012
【図１１】
2014208291.tif 000013
【図１２】
2014208291.tif 000014
【図１３】
2014208291.tif 000015
【図１４】
2014208291.tif 000016
【図１５】
2014208291.tif 000017
【図１６】
2014208291.tif 000018
【図１７】
2014208291.tif 000019
【図１８】
2014208291.tif 000020
【図１９】
2014208291.tif 000021
【図２０】
2014208291.tif 000022
【図２１】
2014208291.tif 000023
【図２２】
2014208291.tif 000024
【図２３】
2014208291.tif 000025
【図２４】
2014208291.tif 000026
【図２５】
2014208291.tif 000027
【図２６】
2014208291.tif 000028
【図２７】
2014208291.tif 000029
【図２８】
2014208291.tif 000030
【図２９】
2014208291.tif 000031
【図３０】
2014208291.tif 000032
【図３１】
2014208291.tif 000033
【図３２】
2014208291.tif 000034
【図３３】
2014208291.tif 000035
【図３４】
2014208291.tif 000036
【図３５】
2014208291.tif 000037
【図３６】
2014208291.tif 000038
【図３７】
2014208291.tif 000039
【図３８】
2014208291.tif 000040
【図３９】
2014208291.tif 000041
【図４０】
2014208291.tif 000042
【図４１】
2014208291.tif 000043
【図４２】
2014208291.tif 000044
【図４３】
2014208291.tif 000045
【図４４】
2014208291.tif 000046
【図４５】
2014208291.tif 000047
【図４６】
2014208291.tif 000048
【国際調査報告】
2014208291.tif 000049
2014208291.tif 000050
2014208291.tif 000051
2014208291.tif 000052